(57)【要約】    【課題】  小ロットの注文でも安価に所望の模様や画像などを施したバッグを提供する。    【解決手段】  底壁部と、この底壁部の周囲に立設する複数の側壁部とを備えたバッグにおいて、側壁部が、表裏両面に所定の印刷を施してなる紙片を表裏２枚の透明シートでラミネートしてなるラミネート加工部材から形成されるとともに、ラミネート加工部材から構成される壁部と対向する壁部が透視可能な部材から形成されている。  【選択図】  図１
2006223348.tif 000002
【特許請求の範囲】
【請求項１】
底壁部と、この底壁部の周囲に立設する複数の側壁部とを備えたバッグにおいて、
壁部の少なくとも1つが、所定の印刷を施してなる紙片を表裏２枚の透明シートでラミネートしてなるラミネート加工部材から形成されていることを特徴とするバッグ。
【請求項２】
ラミネート加工部材における紙片の両面に印刷が施され、ラミネート加工部材から構成される壁部と対向する壁部が透視可能な部材から形成されていることを特徴とする請求項１に記載のバッグ。
【請求項３】
底壁部と、この底壁部の周囲に立設する複数の側壁部と、前記側壁部で囲まれた収容空間を複数室に仕切るための仕切り壁部とを備えたバッグにおいて、
前記仕切り壁部が、所定の印刷を施してなる紙片を表裏２枚の透明シートでラミネートしてなるラミネート加工部材から形成され、前記仕切り壁部と対向する側壁部が透視可能な部材から形成されていることを特徴とするバッグ。
【発明の詳細な説明】
【技術分野】
【０００１】
本発明は、手軽に持ち運び出来てしかもファッション性に優れたバッグに関する。
【背景技術】
【０００２】
従来、軟質のプラスチックシートなどから作製されるバッグでは、その表面に画像や模様などを表わしたい場合には、プラスチックシートの表面に画像や模様などを直接印刷する方法がある。（特許文献１参照）
しかしながら、プラスチックシートの表面に画像や模様などを直接印刷する方法は、大量印刷には向いているが、少量印刷には向かず、そのため、模様や画像を印刷したプラスチックシートを用いてバッグを作製する場合において、その注文が小ロットであると、製造コストが非常に高くなるし、また注文に対する即応性にも問題が生じる。
【０００３】
ところで、近年、性能の良いカラーコピー機やカラープリンターが普及して、紙へのカラー印刷などが非常に簡単且つ高品質で、しかも安価に行なえる状況となっている。
【特許文献１】特開２００４−２７７００５
【発明の開示】
【発明が解決しようとする課題】
【０００４】
本発明は以上の実情に鑑みて開発したものであって、目的とするところは、小ロットの注文でも安価に所望の模様や画像などを施したバッグを提供することにある。
【課題を解決するための手段】
【０００５】
以上の目的を達成するために、請求項１に記載の発明は、底壁部と、この底壁部の周囲に立設する複数の側壁部とを備えたバッグにおいて、壁部の少なくとも1つが、所定の印刷を施してなる紙片を表裏２枚の透明シートでラミネートしてなるラミネート加工部材から形成されていることを特徴とするものである。
【０００６】
また請求項２に記載の発明は、請求項１に記載のバッグにおいて、ラミネート加工部材における紙片の両面に印刷が施され、ラミネート加工部材から構成される壁部と対向する壁部が透視可能な部材から形成されていることを特徴とするものである。
【０００７】
また請求項３に記載の発明は、底壁部と、この底壁部の周囲に立設する複数の側壁部と、前記側壁部で囲まれた収容空間を複数室に仕切るための仕切り壁部とを備えたバッグにおいて、前記仕切り壁部が、所定の印刷を施してなる紙片を表裏２枚の透明シートでラミネートしてなるラミネート加工部材から形成され、前記仕切り壁部と対向する側壁部が透視可能な部材から形成されていることを特徴とするものである。
【発明の効果】
【０００８】
請求項１に記載の発明によれば、紙片に所望の画像等を印刷したラミネート加工部材により、所望のデザインの側壁部を簡単且つ容易に作成することが出来、小ロットの注文でも安価に所望の模様や画像などを施したバッグを安価でしかも短い納期で提供することが出来る。
【０００９】
請求項２に記載の発明によれば、請求項１に記載の発明の効果に加えて、ラミネート加工部材からなる側壁部の外方からだけではなく、その側壁部と対向する側壁部を通して紙片の裏面に印刷している模様や画像などを見ることが出来るので、収容室に収容する品物と関連する画像などを前記紙片の裏面に印刷しておくことで、収容室に入れる商品の販売促進により一層寄与することが出来る。
【００１０】
請求項３に記載の発明によれば、紙片に所望の画像等を印刷したラミネート加工部材により、所望のデザインの仕切り壁部を簡単且つ容易に作成することが出来て、小ロットの注文でも安価に所望の模様や画像などを施したバッグを安価でしかも短い納期で提供することが出来るのは勿論のこと、仕切り壁部で仕切られた複数の収容室にそれぞれ収容する異なる品物に対応する画像を、仕切り壁部を構成するラミネート加工部材の紙片の表面と裏面にそれぞれ印刷することが出来て、商品の販促用などに用いるバッグとして寄与する。
【発明を実施するための最良の形態】
【００１１】
図１〜図３において符号１で示すバッグは、手提げタイプのものであって、このバッグ１は、基本的には、横長の底壁部２と、この底壁部２の外周に立設する４つの側壁部、具体的には、前側壁部３ａと後側壁部３ｂと左側壁部３ｃと右側壁部３ｄとから縦長の箱状に構成されて、これら壁部２及び３ａ〜３ｄにより上部が開口する収容室４が画成されている。
【００１２】
そして図１〜図３に示すバッグ１では、底壁部２と左右側壁部２ｃ・２ｄが、帯状のポリ塩化ビニール製軟質シートから一体形成され、また後側壁部２ｂも矩形状のポリ塩化ビニール製軟質シートから形成されている。
【００１３】
前記したポリ塩化ビニール製の軟質シートはいずれも透明のものを用いている。
【００１４】
一方、前側壁部３ａは、所望の模様や画像あるいは文字などを既存の印刷機でグラビア印刷してなる紙片３１を、ポリエチレンテレフタレート（ＰＥＴ）製の２枚の透明のシート３２・３３でラミネート（パウチ加工）したラミネート加工部材３０から構成されている。
【００１５】
紙片３１は、シート３２・３３とほぼ同じ大きさのものが用いられ、その表裏の両面にそれそれ所望の模様や画像などが印刷されている。
【００１６】
尚、前記した紙片３１としては、例えばコンピュータに接続して用いられる例えば既存のレーザー式カラープリンターやインクジェット式カラープリンターで画像等を印刷した紙片３１や、あるいは既存のカラーコピー機などにより画像等をコピー印刷した紙片３１を用いてもよい。
【００１７】
以上の構成から成るバッグ１は、前側壁部３ａ及び後側壁部３ｂの左右端縁を左側壁部３ｃ及び右側壁部３ｄの両側端縁に重合させ、また前側壁部３ａ及び後側壁部３ｂの下縁を底壁部２の両側端縁に重合させると共に、これら重合部位を布製の縁取りテープ５と共に一体に逢着している。
【００１８】
また各側壁部３ａ〜３ｄの上端にも布製の縁取りテープ５を逢着すると共に、前側壁部３ａ及び後側壁部３３ｂの上端部には、それぞれ布製の取っ手６の長さ方向両端部が縁取りテープ４５と共に逢着されている。
【００１９】
斯くして以上のバッグ１では、前側壁部３ａの外方からだけではなく、後側壁部２ｂを通して紙片３１の裏面に印刷している模様や画像などを見ることが出来、例えば収容室４に収容する品物と関連する画像などを前記紙片３１の裏面に印刷しておくことで、商品の販促用に用いるバッグとして有効利用することが出来、その商品の販売促進に寄与する。
【００２０】
以上のバッグ１では、底壁部２と左右側壁部２ｃ・２ｄが、透明のポリ塩化ビニール製軟質シートから形成されているが、例えば透視可能なメッシュ生地から形成してもよいし、あるいは透視不能な布地から形成してもよい。
【００２１】
また以上の実施形態では、後側壁部２ｂをポリ塩化ビニールから形成した透明の軟質シートより形成したが、この後側壁部２ｂを透視可能なメッシュ生地から形成してもよい。
【００２２】
また以上の実施形態では、前側壁部３ａをラミネート加工部材３０から形成したが、これに限定されるものではなく、後側壁部３ｅや左右側壁部３ｃ・３ｄ若しくは底壁部２をラミネート加工部材３０から形成してもよい。
【００２３】
次に図４及び図５に示すバッグ１は、小型の脇抱え用（ポーチ）である。
【００２４】
このポーチタイブのバッグ１は、図１〜図３に示すものと基本的構成が同一であって、異なる点のみを記載すると、先ず底壁部２と左右側壁部３ｃ・３ｄが、ナイロン製の透視性を備えたメッシュ生地から形成されている。
【００２５】
また前側壁部３ａと後側壁部３ｂの上端には、収容室４の出入口を開閉するためのファスナー７が設けられている。
【００２６】
また後側壁部２ｂも、前側壁部２ｂと同様に、所望の文字などを表面に印刷してなる紙片３１を、ポリエチレンテレフタレート（ＰＥＴ）製の２枚の透明のシート３２・３３でラミネート（パウチ加工）したラミネート加工部材３０から構成され、前述の紙片３１は、小さな短冊状のものを用いて、シート３２・３３の右側下部に部分的に配置している。
【００２７】
斯くして、図4、図５に示すバッグ１にあっても、前側壁部３ａの外方からだけではなく、後側壁部２ｂの下部に部分的に配置された紙片３１の表面に印刷している文字と共に、後側壁部２ｂを通して前側壁部３ａに配置されている紙片３１の裏面に印刷している模様や画像などを同時に見ることが出来、例えば収容室４に収容する品物と関連する画像などを後側壁部２ｂの下部に部分的に配置された紙片３１の表面と前側壁部３ａに配置された紙片３１の裏面にそれぞれ印刷しておくことで、商品の販促用などに用いるバッグとして有効利用することが出来、その商品の販売促進に寄与する。
【００２８】
以上のバッグ１では、底壁部２と左右側壁部２ｃ・２ｄがメッシュ生地から形成されているが、例えば形成透明のポリ塩化ビニール製軟質シートから形成してもよい。
【００２９】
更に図６に示すバッグ１は、図１〜図３に示すものと基本的構成が同一の手提げタイプのものであって、図１〜図３に示すものと異なる点は、収容室４内を二室４ａ・４ｂに仕切るための仕切り壁部３ｅが備えられ、この仕切り壁部３ｅが、所望の模様や画像あるいは文字などを既存の印刷機でグラビア印刷してなる紙片３１を、ポリエチレンテレフタレート（ＰＥＴ）製の２枚の透明のシート３２・３３でラミネート（パウチ加工）したラミネート加工部材３０から構成されている。
【００３０】
そして前側壁部３ａ及び後側壁部３ｂは、ポリ塩化ビニールから形成した透明の軟質シートから形成され、これら前側壁部３ａ及び後側壁部３ｂを通して仕切り壁部３ｅの紙片３１に印刷された画像等を視認できるようにしている。
【００３１】
また底壁部２と左右側壁部３ｃ・３ｄは、透視不能な布地から形成されている。
【００３２】
斯くして図６に示すバッグでは、仕切り壁部３ｅで仕切られた２室にそれぞれ収容する異なる品物に対応する画像を、仕切り壁部３ｅを構成するラミネート加工部材３０の紙片３１の表面と裏面にそれぞれ印刷することが出来て、商品の販促用などに用いるバッグとしてより一層寄与する。
【００３３】
尚、以上の実施形態において、各収容室４ａ・４ｂの上部開口をファスナーにより開閉するようにしてもよい。また各収容室４ａ・４ｂの内底には、別途形成した底板を取り付けてもよい。
【００３４】
以上の各実施形態のバッグ１によれば、シート３２・３３でラミネートされる紙片に任意印刷するだけで、所望のデザインの側壁部を簡単且つ容易に作成することが出来、小ロットの注文でも安価に所望の模様や画像などを施したバッグを安価でしかも短い納期で提供することが出来る。
【００３５】
以上の各実施形態では、既存の印刷機でグラビア印刷した紙片３１を用いて、ラミネート加工部材を形成したが、これに限定されるものではなく、例えばコンピュータに接続して用いられる例えば既存のレーザー式カラープリンターやインクジェット式カラープリンターで画像等を印刷した紙片３１や、あるいは既存のカラーコピー機などにより画像等をコピー印刷した紙片３１を用いてもよく、これにより、より一層、小ロットバッグを安価でしかも短い納期で提供することが出来る。
【図面の簡単な説明】
【００３６】
【図１】本発明にかかるバッグの一実施形態を斜め前方から見た斜視図。
【図２】図１に示すバッグを斜め後方から見た斜視図。
【図３】ラミネート加工部材の展開斜視図。
【図４】本発明にかかるバッグの別の実施形態を斜め前方から見た斜視図。
【図５】図４に示すバッグを斜め後方から見た斜視図。
【図６】本発明にかかるバッグの更に別の実施形態を斜め前方から見た斜視図。
【符号の説明】
【００３７】
１      バッグ
２      底壁部
３ａ    前側壁部
３ｂ    後側壁部
３ｃ    左側壁部
３ｄ    右側壁部
３ｅ    仕切り壁部
３０    ラミネート加工部材
３１    紙片
３２・３３  透明のシート
４      収容室
６      取っ手
７      ファスナー
【図１】
2006223348.tif 000003
【図２】
2006223348.tif 000004
【図３】
2006223348.tif 000005
【図４】
2006223348.tif 000006
【図５】
2006223348.tif 000007
【図６】
2006223348.tif 000008